(57)【要約】【課題】本発明は、ストラップを鞄本体から取外すことができ、しかも、ストラップと鞄本体との間の結合力を増強させた鞄を提供する。【解決手段】本発明にかかる鞄は、鞄本体（２）及びストラップ（４）を有する鞄（１）に関する。ストラップ（４）は、第１の端部（１２）及び第２の端部（１４）を有する。第１の端部（１２）は、スライドファスナー組立体（６ａ，６ｂ）によって鞄本体（２）に取外し可能に取付けられ、第２の端部（１４）は、スライドファスナー組立体（６ｃ，６ｄ）によって鞄本体（２）に取外し可能に取付けられている。好ましくは、第１の端部（１２）及び第２の端部（１４）は、鞄本体（２）の側面（１０）に対して表向きにも裏向きにも取付けることが可能である。【選択図】      図１
2004236774.tif 000002
【特許請求の範囲】
【請求項１】
鞄本体と、
第１の端部及び第２の端部を有するストラップと、
前記第１の端部及び前記第２の端部を前記鞄本体に取外し可能に取付けるための少なくとも１つのスライドファスナー手段と、を有することを特徴とする鞄。
【請求項２】
前記少なくとも１つのスライドファスナー手段は、前記第１の端部を前記鞄本体に取外し可能に取付けるための第１のスライドファスナー手段と、前記第２の端部を前記鞄本体に取外し可能に取付けるための第２のスライドファスナー手段と、を有する請求項１に記載の鞄。
【請求項３】
前記第１の端部及び前記第２の端部はそれぞれ、前記鞄本体の一つの面とほぼ平行に面状に配置される第１の面状端部及び第２の面状端部を有し、
前記第１のスライドファスナー手段は、前記鞄本体に固定された第１の本体側ファスナー部材と、前記ストラップの第１の面状端部に固定された第１のストラップ側ファスナー部材と、を有し、前記第１のストラップ側ファスナー部材は、前記第１の面状端部を前記鞄本体に対して表向きにも裏向きにも取付けられるように、前記第１の本体側ファスナー部材と脱着式に係合可能であり、
前記第２のスライドファスナー手段は、前記鞄本体に固定された第２の本体側ファスナー部材と、前記ストラップの第２の面状端部に固定された第２のストラップ側ファスナー部材と、を有し、前記第２のストラップ側ファスナー部材は、前記第２の面状端部を前記鞄本体に対して表向きにも裏向きにも取付けられるように、前記第２の本体側ファスナー部材と脱着式に係合可能である、請求項２に記載の鞄。
【請求項４】
前記第１の端部及び前記第２の端部はそれぞれ、前記鞄本体の一つの面とほぼ平行に面状に配置される第１の面状端部及び第２の面状端部を有し、
前記第１のスライドファスナー手段は、前記鞄本体に固定された第１の本体側ファスナー部材と、前記ストラップの第１の面状端部に固定され、前記第１の面状端部を前記鞄本体に対して表向きに取付けるように前記第１の本体側ファスナー部材と脱着式に係合可能な第１のストラップ側ファスナー部材と、を有し、
前記第２のスライドファスナー手段は、前記鞄本体に固定された第２の本体側ファスナー部材と、前記ストラップの第２の面状端部に固定され、前記第２の面状端部を前記鞄本体に対して表向きに取付けるように前記第２の本体側ファスナー部材と脱着式に係合可能な第２のストラップ側ファスナー部材と、を有し、
前記第１のストラップ側ファスナー部材は、前記第１の面状端部を前記鞄本体に対して裏向きに取付けるために、前記第２の本体側ファスナー部材に脱着式に係合可能であり、
前記第２のストラップ側ファスナー部材は、前記第２の面状端部を前記鞄本体に対して裏向きに取付けるために、前記第１の本体側ファスナー部材に脱着式に係合可能である、請求項２に記載の鞄。
【請求項５】
前記少なくとも１つのスライドファスナー手段は、前記第１の端部と前記第２の端部の両方に固定されたストラップ側ファスナー部材と、前記鞄本体に固定され、前記ストラップ側ファスナー部材と脱着式に係合可能な本体側ファスナー部材と、を有する請求項１に記載の鞄。
【請求項６】
前記第１の端部及び前記第２の端部はそれぞれ、前記鞄本体の一つの面とほぼ平行に面状に配置される第１の面状端部及び第２の面状端部を有し、
前記ストラップ側ファスナー部材は、前記第１の面状端部及び前記第２の面状端部を前記鞄本体に対して表向きにも裏向きにも取付けられるように、前記本体側ファスナー部材と脱着式に係合可能である、請求項５に記載の鞄。
【発明の詳細な説明】
【０００１】
【発明の属する技術分野】
本発明は、鞄に関し、更に詳細には、鞄本体にストラップが取付けられている鞄に関する。
【０００２】
【従来の技術】
手提げ鞄、トートバッグ、ショルダーバッグ等、鞄本体を手や腕や肩から提げるためのストラップを備えた鞄が知られている。ストラップの端部は、一般的には、鞄本体の側面に縫い付けられていたり、環状の留め具等を介して鞄本体に脱着可能に取付けられたりしている。
【０００３】
また、特許文献１には、ストラップの端部が面ファスナーを介して鞄本体の側面に脱着可能に取付けられている鞄が開示されている。図４は、特許文献１に開示されている鞄の斜視図である。
【０００４】
鞄１００は、鞄本体１０２と、鞄本体を提げるためのストラップ１０４とを有する。ストラップ１０４の２つの面状の端部１０６ａ、１０６ｂは、表面１０８を有し、表向きになるように面ファスナー１１０によって鞄本体の側面１１２に取外し可能に取付けられている。鞄１００は、更に、面ファスナー１１０がストラップ１０４の手提げ部１１４側から剥れ始めることを防止するためのスナップ式ボタン１１６及び止め輪１１８を面状端部１０６ａ、１０６ｂの手提げ部１１４側に有している。ストラップ１０４が鞄本体１０２の側面１１２に脱着可能に取付けられているので、ストラップ１０４を他のストラップに交換することによって、鞄本体１０２の側面１１２に取付けられるストラップ１０４の色等を変えることができるようになっている。
【０００５】
【特許文献１】
実用新案登録第３０８８０００号公報（図１、図２、段落００８３）
【０００６】
【発明が解決しようとする課題】
上述の特許文献１の鞄１００を使用した場合、ストラップ１０４が意図せずに鞄本体１０２から外れてしなうことがある。特許文献１のストラップ１０４を鞄本体１０２に取付けるための面ファスナー１１０の構造は、ストラップ１０４の表面１０８と鞄本体１０２の側面１１２との間の境界部に段差及び隙間を生じさせるものである。この鞄１００の使用者が、例えば、満員の電車やバスに乗り合わせたとき、ストラップ１０４は、鞄１００と隣りの乗客とが擦れ合うことによってストラップ１０４と面ファスナー１１０との間の境界部からめくれ始める。このめくれは、面ファスナー１１０を剥しながらしだいに進行し、ついには、ストラップ１０４と鞄本体１０２と間の結合力が弱くなり、ストラップ１０４が鞄本体１０２から外れてしまう。ストラップ１０４が鞄本体１０２からめくれていたり、外れていたりすることは見苦しい。また、ストラップ１０４が鞄本体１０２から外れてしまうと、鞄本体１０２の重量がスナップ式ボタン１１６や止め輪１１８に集中的に作用する。その結果、スナップ式ボタン１１６が外れ、止め輪１１８の取付け部が鞄本体１０２からちぎれることもある。
【０００７】
更に、鞄１００を長期間使用して、面ファスナー１１０にごみが溜まると、ストラップ１０４がめくれたり剥れやすくなり、ストラップ１０４と鞄本体１０２とを結合させる力が弱くなる。
【０００８】
また、特許文献１の鞄１００は、ストラップ１０４の色等を変更するために別のストラップを予め用意しておく必要があり、使用していないストラップを保存しておく必要もある。
【０００９】
そこで、本発明は、ストラップを鞄本体から取外すことができ、しかも、ストラップと鞄本体との間の結合力を増強させた鞄を提供することを第１の目的としている。
【００１０】
また、本発明は、鞄本体から取外したストラップの面状端部を裏向きに取付けることができ、しかも、ストラップと鞄本体との間の結合力を増強させた鞄を提供することを第２の目的にしている。
【００１１】
【課題を解決するための手段】
上記第１の目的を達成するために、本発明による鞄は、鞄本体と、第１の端部及び第２の端部を有するストラップと、第１の端部及び第２の端部を鞄本体に取外し可能に取付けるための少なくとも１つのスライドファスナー手段と、を有することを特徴としている。
【００１２】
このように構成された本発明によれば、鞄本体からストラップをスライドファスナー手段によって取外すことができる。また、ストラップがスライドファスナー手段によって鞄本体に取付けられているので、ストラップは鞄本体から外れにくい。また、スライドファスナー手段にごみが溜まっても、すぐに掃除することができる。その結果、ストラップと鞄本体との間の結合力を増強させることができる。
【００１３】
本発明において、好ましくは、少なくとも１つのスライドファスナー手段は、第１の端部を鞄本体に取外し可能に取付けるための第１のスライドファスナー手段と、第２の端部を鞄本体に取外し可能に取付けるための第２のスライドファスナー手段と、を有する。
【００１４】
このように構成された発明においては、第１の端部と第２の端部とが、それぞれ別のスライドファスナー手段によって鞄本体に取付けられているので、ストラップと鞄本体との間の結合力を更に増強させることができる。
【００１５】
この発明の場合、好ましくは、第１の端部及び第２の端部はそれぞれ、鞄本体の一つの面とほぼ平行に面状に配置される第１の面状端部及び第２の面状端部を有し、第１のスライドファスナー手段は、鞄本体に固定された第１の本体側ファスナー部材と、ストラップの第１の面状端部に固定された第１のストラップ側ファスナー部材と、を有し、第１のストラップ側ファスナー部材は、第１の面状端部を前記鞄本体に対して表向きにも裏向きにも取付けられるように、第１の本体側ファスナー部材と脱着式に係合可能であり、第２のスライドファスナー手段は、鞄本体に固定された第２の本体側ファスナー部材と、ストラップの第２の面状端部に固定された第２のストラップ側ファスナー部材と、を有し、第２のストラップ側ファスナー部材は、第２の面状端部を鞄本体に対して表向きにも裏向きにも取付けられるように、第２の本体側ファスナー部材と脱着式に係合可能である。
【００１６】
このように構成された発明においては、上記第２の目的を達成することができる。先ず、第１の面状端部を第１のスライドファスナー手段に取付け、第２の面状端部を第２のスライドファスナー手段に取付けることにより、２つの面状端部を表向きに取付けておく。次いで、第１の面状端部を取外し、それを裏向きにして第１のスライドファスナー手段に取付け、第２の面状端部を取外し、それを裏向きにして第２のスライドファスナー手段に取付ける。その結果、例えば、第１の面状端部の長さと第２の面状端部の長さが異なる場合であっても、１つのストラップの第１の帯状端部及び第２の帯状端部を表向きにも裏向きにも取付けることができる。
【００１７】
また、上記発明は、上述の場合の代わりに、好ましくは、第１の端部及び第２の端部はそれぞれ、鞄本体の一つの面とほぼ平行に面状に配置される第１の面状端部及び第２の面状端部を有し、第１のスライドファスナー手段は、鞄本体に固定された第１の本体側ファスナー部材と、ストラップの第１の面状端部に固定され、第１の面状端部を鞄本体に対して表向きに取付けるように第１の本体側ファスナー部材と脱着式に係合可能な第１のストラップ側ファスナー部材と、を有し、第２のスライドファスナー手段は、鞄本体に固定された第２の本体側ファスナー部材と、ストラップの第２の面状端部に固定され、第２の面状端部を鞄本体に対して表向きに取付けるように第２の本体側ファスナー部材と脱着式に係合可能な第２のストラップ側ファスナー部材と、を有し、第１のストラップ側ファスナー部材は、第１の面状端部を鞄本体に対して裏向きに取付けるために、第２の本体側ファスナー部材に脱着式に係合可能であり、第２のストラップ側ファスナー部材は、第２の面状端部を鞄本体に対して裏向きに取付けるために、第１の本体側ファスナー部材に脱着式に係合可能である。
【００１８】
このように構成された発明においても、上記第２の目的を達成することができる。先ず、第１の面状端部を第１のスライドファスナー手段に取付け、第２の面状端部を第２のスライドファスナー手段に取付けることにより、２つの面状端部を表向きに取付けておく。次いで、第１の面状端部を取外し、それを裏向きにして第２のスライドファスナー手段に取付け、第２の面状端部を取外し、それを裏向きにして第１のスライドファスナー手段に取付ける。その結果、例えば、第１の面状端部自体又は第２の面状端部自体の形状が対称でない場合であっても、第１の面状端部と第２の面状端部とが鞄本体に対して対称であれば、１つのストラップの第１の帯状端部及び第２の帯状端部を表向きにも裏向きにも取付けることができる。
【００１９】
また、本発明において、好ましくは、少なくとも１つのスライドファスナー手段は、第１の端部と第２の端部の両方に固定されたストラップ側ファスナー部材と、鞄本体に固定され、ストラップ側ファスナー部材と脱着式に係合可能な本体側ファスナー部材と、を有する。
【００２０】
このように構成された発明においては、第１の面状端部と第２の面状端部とを一緒に、鞄本体に取付けたり、それから取外したりすることができる。
【００２１】
また、本発明において、好ましくは、第１の端部及び前記第２の端部はそれぞれ、鞄本体の一つの面とほぼ平行に面状に配置される第１の面状端部及び第２の面状端部を有し、ストラップ側ファスナー部材は、第１の面状端部及び前記第２の面状端部を鞄本体に対して表向きにも裏向きにも取付けられるように、本体側ファスナー部材と脱着式に係合可能である。
【００２２】
このように構成された発明においては、上記第２の目的を達成することができる。即ち、１つのストラップの第１の帯状端部及び第２の帯状端部を表向きにも裏向きにも取付けることができる。
【００２３】
【発明の実施の形態】
以下、図面を参照して、本発明による鞄の３つの実施形態を説明する。
【００２４】
最初に、図１を参照して、本発明による鞄の第１の実施形態を説明する。図１は、本発明による鞄の第１の実施形態であるトートバッグの斜視図である。
【００２５】
図１に示すように、トートバッグ１は、鞄本体２と、鞄本体２を提げるためのストラップ４と、ストラップ４を鞄本体２に取外し可能に取付けるためのスライドファスナー組立体６ａ〜６ｄとを有する。ストラップ４は、２本設けられ、１本のストラップ４に対して、４つのスライドファスナー組立体６ａ〜６ｄが設けられている。
【００２６】
鞄本体２は、上向きに開いた袋状をなし、上向きの開口８と、２つの側面１０（一方のみ図示）を有している。鞄本体２は、布、皮革等で作られるのが良い。
【００２７】
２つのストラップ４は、鞄本体２の各側面１０に１つずつ取付けられている。各側面１０におけるストラップ４及びスライドファスナー組立体６の構造は同様である。従って、以下、一方（図１の手前側）の側面１０側についてのみ説明し、他方（図１の奥側）の側面１０側についての説明を省略する。
【００２８】
ストラップ４は、面状であり、例えば、布、皮革等で作られる。ストラップ４は、第１の面状端部１２と、その反対側の第２の面状端部１４とを有する。第１の面状端部１２及び第２の面状端部１４は、鞄本体２の側面１０とほぼ平行に且つ鞄本体２に対して表向きに配置され、側面１０の横方向、即ち、左右方向に間隔を隔てている。また、第１の面状端部１２及び第２の面状端部１４は、上下方向に延びている。第１の面状端部１２は、左側縁１６ａ、下縁１６ｂ及び右側縁１６ｃを有し、第２の面状端部１４は、左側縁１８ａ、下縁１８ｂ及び右側縁１８ｃを有する。第１の面状端部１２と第２の面状端部１４との間のストラップ４の部分は、鞄本体２の上方で、ストラップ４を手や肩等から下げるための湾曲部２０を形成している。湾曲部２０は、面状である必要はなく、例えば、ストラップ４の幅方向に２つ折りされていても良い。
【００２９】
スライドファスナー組立体６ａ〜６ｄは、ストラップ４の第１の面状端部１２を鞄本体２に取外し可能に取付けるための２つの第１の面状端部側のスライドファスナー組立体６ａ、６ｂと、ストラップ４の第２の面状端部１４を鞄本体２に取外し可能に取付けるための２つの第２の面状端部側のスライドファスナー組立体６ｃ、６ｄとを含む。第１の面状端部側のスライドファスナー組立体６ａ、６ｂはそれぞれ、第１の面状端部１２の左側縁１６ａ及び右側縁１６ｃに沿って配置されており、第２の面状端部側のスライドファスナー組立体６ｃ、６ｄは、第２の面状端部１４の左側縁１８ａ及び右側縁１８ｃに沿って配置されている。これらのスライドファスナー組立体６ａ、６ｂ、６ｃ、６ｄは、取付け箇所が異なること以外、同様の構造を有している。従って、以下、スライドファスナー組立体６ａについてのみ説明し、その他のスライドファスナー組立体６ｂ、６ｃ、６ｄの構造の説明を省略する。
【００３０】
スライドファスナー組立体６ａは、鞄本体２に固定された本体側ファスナー部材２０ａと、ストラップ４の第１の面状端部１２の左側縁１６ａに固定されたストラップ側ファスナー部材２２ａと、これらのファスナー部材２０ａ、２２ａを互いに係合させたり分離させたりするためのスライダー２４ａとを有する。本体側ファスナー部材２０ａの鞄本体２への固定方法及びストラップ側ファスナー部材２２ａのストラップ４への固定方法は任意であるが、縫い付けられていることが好ましい。両ファスナー部材２０ａ、２２ａは、一方を裏返して他方に脱着式に係合することも可能な構造を有していることが好ましい。
【００３１】
図１の実施形態では、本体側ファスナー部材２０ａとストラップ側ファスナー部材２２ａとが分離しているとき、スライダー２４ａは、本体側ファスナー部材２０ａに係合したままである。ストラップ側ファスナー部材２２ａの下端部には、完全に分離したファスナー部材２０ａ、２２ａの最初の係合部分を形成するためにスライダー２４ａに挿入可能な挿入体２６ａが設けられている。本体側ファスナー部材２０ａとストラップ側ファスナー部材２２ａとは、スライダー２４ａを本体側ファスナー部材２０ａの下端部に配置し、次いで、ストラップ側ファスナー部材２２ａの挿入体２６ａをスライダー２４ａに挿入して、スライダー２４ａを上方に移動させたときに互いに係合し、スライダー２４ａを下方に移動させたときに分離するようになっている。
【００３２】
図１において、スライドファスナー組立体６ａと同様に構成されているスライドファスナー組立体６ｂ、６ｃ、６ｄの本体側ファスナー部材をそれぞれ２０ｂ、２０ｃ、２０ｄで指示し、ストラップ側ファスナー部材をそれぞれ２２ｂ、２２ｃ、２２ｄで指示し、スライダーをそれぞれ２４ｂ、２４ｃ、２４ｄで指示し、挿入体をそれぞれ２６ｂ、２６ｃ、２６ｄで指示している。また、各挿入体２６ａ、２６ｂ、２６ｃ、２６ｄは、任意のスライダー２４ａ、２４ｂ、２４ｃ、２４ｄに挿入可能である。
【００３３】
次に、本発明による鞄の第１の実施形態であるトートバッグの使用方法を説明する。
【００３４】
ストラップ側ファスナー部材２２ａ、２２ｂ、２２ｃ、２２ｄをそれぞれ、本体側ファスナー部材２０ａ、２０ｂ、２０ｃ、２０ｄに係合させて、ストラップ４の第１の面状端部１２及び第２の面状端部１４を鞄本体２に対して表向きに鞄本体２に取付ける。ストラップ４の色等を変えたい場合には、別のストラップを用意しておき、取付けられていたストラップ４を取外し、用意しておいた別のストラップを取付ける。
【００３５】
表向きと裏向きとで色等が異なるストラップ４を使用している場合には、表向きにとりつけられていたストラップ４を外し、それを裏向きに取付けることができる。
【００３６】
具体的には、ストラップ側ファスナー部材２２ａ、２２ｂをそれぞれ、本体側ファスナー部材２０ｂ、２０ａに係合させ、ストラップ側ファスナー部材２２ｃ、２２ｄをそれぞれ、本体側ファスナー部材２０ｄ、２０ｃに係合させる。その結果、ストラップ４の第１の面状端部１２自体及び第２の面状端部１４自体が、その場で鞄本体２に対して裏向きに取付けられる。
【００３７】
また、これとは別の方法で、ストラップ側ファスナー部材２２ａ、２２ｂをそれぞれ、本体側ファスナー部材２０ｄ、２０ｃに係合させ、ストラップ側ファスナー部材２２ｃ、２２ｄをそれぞれ、本体側ファスナー部材２０ｂ、２０ａに係合させても良い。その結果、第１の面状端部１２は、第２の面状端部１４が配置されていた箇所に裏向きに取付けられ、第２の面状端部１４は、第１の面状端部１２が配置されていた箇所に裏向きに取付けられる。
【００３８】
次に、図２を参照して、本発明による鞄の第２の実施形態を説明する。図２は、本発明による第２の実施形態であるトートバッグの斜視図である。
【００３９】
図２に示すように、第２の実施形態のトートバッグ５０は、第１の実施形態のトートバッグ１のスライドファスナー組立体６ａ〜６ｄを変形させたものである。従って、以下、第１の実施形態と異なる部分を説明し、第１の実施形態と同様の構成要素には第１の実施形態と同じ符号を付し、その詳細な説明を省略する。
【００４０】
トートバッグ５０は、鞄本体２と、ストラップ４と、ストラップ４を鞄本体２に取外し可能に取付けるためのスライドファスナー組立体５２ａ、５２ｂとを有する。ストラップ４は、２本設けられ、１本のストラップに対し、２つのスライドファスナー組立体５２ａ、５２ｂが設けられている。第１の実施形態の説明と同様、一方（図２の手前側）の側面１０側についてのみ説明する。
【００４１】
スライドファスナー組立体５２ａ、５２ｂは、ストラップ４の第１の面状端部１２を鞄本体２に取外し可能に取付けるための第１の面状端部側のスライドファスナー組立体５２ａと、ストラップ４の第２の面状端部１４を鞄本体２に取外し可能に取付けるための第２の面状端部側のスライドファスナー組立体５２ｂとを含む。第１の端部スライドファスナー組立体５２ａは、第１の面状端部１２の左側縁１６ａ、下縁１６ｂ及び右側縁１６ｃに沿ってＵ字形状に配置されており、第２の面状端部側のスライドファスナー組立体５２ｂは、第２の面状端部１４の左側縁１８ａ、下縁１８ｂ及び右側縁１８ｃに沿ってＵ字形状に配置されている。これらのスライドファスナー組立体５２ａ、５２ｂは、取付け箇所が異なること以外、同様の構造を有している。
【００４２】
第１の面状端部側のスライドファスナー組立体５２ａは、鞄本体２に固定された本体側ファスナー部材５４ａと、ストラップ４の第１の面状端部１２に固定されたストラップ側ファスナー部材５６ａと、これらのファスナー部材５４ａ、５６ａを互いに係合させたり分離させたりするためのスライダー５８ａとを有する。本体側ファスナー部材５４ａの鞄本体２への固定方法及びストラップ側ファスナー部材５６ａのストラップ４への固定方法は任意であるが、縫い付けられていることが好ましい。両ファスナー部材５４ａ、５６ａは、一方を裏返して他方に脱着式に係合することも可能な構造を有していることが好ましい。
【００４３】
図２の実施形態では、本体側ファスナー部材５４ａとストラップ側ファスナー部材５６ａとが分離しているとき、スライダー５８ａは、本体側ファスナー部材５４ａに係合したままである。Ｕ字形状のストラップ側ファスナー部材５６ａの左右の上端部にはそれぞれ、完全に分離したファスナー部材５４ａ、５６ａの最初の係合部分を形成するためにスライダー５８ａに挿入可能な挿入体６０ａ及び６０ｂが設けられている。本体側ファスナー部材５４ａとストラップ側ファスナー部材５６ａとは、スライダー５８をＵ字形状の本体側ファスナー部材５４ａの左上端部に配置し、次いで、ストラップ側ファスナー部材５６ａの挿入体６０ａを挿入して、スライダー５８ａを第１の面状端部１２の左側縁１６ａから下縁１６ｂ、右側縁１６ｃに沿って移動させるときに互いに係合し、スライダー５８ａをそれと逆方向に移動させたときに分離するようになっている。
【００４４】
第２の面状端部側のスライドファスナー組立体５２ｂは、第１の面状端部側のスライドファスナー組立体５２ａと同様の構造を有している。従って、両者の異なる部分だけを説明し、共通する部分の説明を省略する。図２において、第２の面状端部側のスライドファスナー組立体５２ｂの本体側ファスナー部材を５４ｂで指示し、ストラップ側ファスナー部材を５６ｂで指示し、スライダーを５８ｂで指示している。また、ストラップ側ファスナー部材５６ａの左右の上端部に設けられた挿入体をそれぞれ６２ａ及び６２ｂで指示している。本体側ファスナー部材５４ｂとストラップ側ファスナー部材５６ｂとは、スライダー５８ｂをＵ字形状の本体側ファスナー部材５４ｂの右上端部に配置し、次いで、ストラップ側ファスナー部材５６ｂの挿入体６２ｂを挿入して、スライダー５８ｂを第２の面状端部１４の右側縁１８ｃから下縁１８ｂ、左側縁１８ａに沿って移動させるときに互いに係合し、スライダー５８ｂをそれと逆方向に移動させたときに分離するようになっている。
【００４５】
次に、本発明による鞄の第２の実施形態であるトートバッグの使用方法を説明する。
【００４６】
ストラップ側ファスナー部材５６ａ、５６ｂの挿入体６０ａ、６２ｂをそれぞれ、スライダー５８ａ、５８ｂに挿入し、スライダー５８ａ、５８ｂを移動させる。それにより、ストラップ側ファスナー部材５６ａ、５６ｂをそれぞれ、本体側ファスナー部材５４ａ、５４ｂに係合させて、ストラップ４の第１の面状端部１２及び第２の面状端部１４を鞄本体２に対して表向きに鞄本体２に取付ける。ストラップ４の色等を変えたい場合には、別のストラップを用意しておき、取付けられていたストラップ４を取外し、用意しておいた別のストラップを取付ける。
【００４７】
表向きと裏向きとで色等が異なるストラップ４を使用している場合には、表向きにとりつけられていたストラップ４を外し、それを裏向きに取付けることができる。
【００４８】
具体的には、挿入体６０ａの代わりに、挿入体６０ｂをスライダー５８ａに挿入し、挿入体６２ｂの代わりに、挿入体６２ａをスライダー５８ｂに挿入し、上記と同様の操作を行う。その結果、ストラップ４の第１の面状端部１２自体及び第２の面状端部１４自体が、その場で鞄本体２に対して裏向きに取付けられる。
【００４９】
また、これとは別の方法で、挿入体６０ａの代わりに、挿入体６２ｂをスライダー５８ａに挿入し、挿入体６２ｂの代わりに、挿入体６０ａをスライダー５８ｂに挿入し、上記と同様の操作を行っても良い。その結果、第１の面状端部１２は、第２の面状端部１４が配置されていた箇所に裏向きに取付けられ、第２の面状端部１４は、第１の面状端部１２が配置されていた箇所に裏向きに取付けられる。
【００５０】
次に、図３を参照して、本発明による鞄の第３の実施形態を説明する。図３は、本発明による鞄の第３の実施形態であるトートバッグの斜視図である。
【００５１】
図３に示すように、第３の実施形態のトートバッグ７０は、第１の実施形態のトートバッグ１のスライドファスナー組立体６ａ〜６ｄを変形させたものである。従って、以下、第１の実施形態と異なる部分を説明し、第１の実施形態と同様の構成要素には、第１の実施形態と同じ符号を付し、その説明を省略する。
【００５２】
トートバッグ７０は、鞄本体２と、ストラップ４と、ストラップ４を鞄本体２に取外し可能に取付けるためのスライドファスナー組立体７２とを有する。ストラップ４は、２本設けられ、１本のストラップに対して、１つのスライドファスナー組立体７２が設けられている。第１の実施形態の説明と同様、一方（図３の手前側）の側面１０側についてのみ説明する。
【００５３】
スライドファスナー組立体７２は、左右に間隔を隔てて鞄本体２の側面１０に配置されたストラップ４の第１の面状端部１２と第２の面状端部１４との間をほぼ水平方向に延びている。スライドファスナー組立体７２は、鞄本体２に固定された本体側ファスナー部材７４と、ストラップ４の第１の面状端部１２及び第２の面状端部１４の両方の下端部に固定されたストラップ側ファスナー部材７６と、これらのファスナー部材７４、７６を互いに係合させたり分離させたりするためのスライダー７８とを有する。本体側ファスナー部材７４の鞄本体２への固定方法及びストラップ側ファスナー部材７６のストラップ４への固定方法は任意であるが、縫い付けられていることが好ましい。ファスナー部材７４と７６とは、一方を裏返しても他方に脱着式に係合することが可能な構造を有していることが好ましい。
【００５４】
図３の実施形態では、本体側ファスナー部材７４とストラップ側ファスナー部材７６とが分離しているとき、スライダー７８は、本体側ファスナー部材７４に係合したままである。ストラップ側ファスナー部材７６の左右の両端部にはそれぞれ、完全に分離したファスナー部材７４、７６の最初の係合部分を形成するためにスライダー７８に挿入可能な挿入体８０ａ及び８０ｂが設けられている。本体側ファスナー部材７４とストラップ側ファスナー部材７６とは、スライダー７８を本体側ファスナー部材７４の左端部に配置し、次いで、ストラップ側ファスナー部材７６の挿入体８０ａを挿入して、スライダー７８を右方に移動させるときに互いに係合し、スライダー７８をそれと逆方向、即ち、左方に移動させたときに分離するようになっている。
【００５５】
次に、本発明による鞄の第３の実施形態であるトートバッグの使用方法を説明する。
【００５６】
ストラップ側ファスナー部材７６挿入体８０ａをスライダー７８に挿入し、スライダー７８を右方に移動させる。それにより、ストラップ側ファスナー部材７６を本体側ファスナー部材７４に係合させて、ストラップ４の第１の面状端部１２及び第２の面状端部１４を鞄本体２に対して表向きに鞄本体２に取付ける。ストラップ４の色等を変えたい場合には、別のストラップ側ファスナー部材が固定された別のストラップを用意しておき、取付けられていたストラップ４を取外し、用意しておいた別のストラップを取付ける。
【００５７】
表向きと裏向きとで色等が異なるストラップ４を使用している場合には、表向きにとりつけられていたストラップ４を外し、それを裏向きに取付けることができる。
【００５８】
具体的には、挿入体８０ａの代わりに、挿入体８０ｂをスライダー７８に挿入し、上記と同様の操作を行う。その結果、ストラップ４の第１の面状端部１２及び第２の面状端部１４が鞄本体２に対して裏向きに取付けられる。
【００５９】
以上、本発明による鞄の実施形態を説明したけれども、本発明は、以上の実施形態に限定されることなく、実用新案登録請求の範囲に記載された発明の範囲内で種々の変更が可能であり、それらも本発明の範囲内に包含されることは言うまでもない。
【００６０】
上記実施形態において、鞄をトートバッグとして説明したけれども、トートバッグに限らず、ショルダーバッグ、スポーツバッグ、ビジネスバッグ等の鞄であっても良い。
【００６１】
また、上記実施形態において、ストラップ４を手、腕又は肩等から提げるためのものとして説明したけれども、車輪のついた鞄を引張るためのストラップ等であっても良い。
【００６２】
また、上記実施形態において、２本のストラップ４を鞄本体に取付けたけれども、ストラップは、１本であっても良いし、３本以上であっても良い。
【００６３】
また、上記実施形態において、ストラップ４の第１の端部１２及び第２の端部１４の形状を面状として説明したけれども、上記第１の目的を達成するためには、それらが面状である必要はない。
【００６４】
また、第１の実施形態及び第２の実施形態において、スライドファスナー組立体が鞄本体２の側面１０とほぼ平行に固定されているが、スライドファスナー組立体を鞄本体２の側面１０とほぼ垂直に固定されていても良い。
【００６５】
また、上記実施形態の説明において、ストラップとストラップ側ファスナー部材との固定方法について、ストラップを貼り合わせ構造とし、その間にストラップ側ファスナー部材を挟んで固定しても良い。
【００６６】
また、上記実施形態において、ストラップの第１の端部と第２の端部とを連結する連結部を設け、それにポケットを形成しても良い。
【００６７】
また、上記実施形態において、スライダーが、本体側ファスナー部材に係合していたが、スライダーがストラップ側ファスナー部材に係合していても良い。更に、挿入体の数、配置等は、第１の端部及び第２の端部の脱着の仕方に応じて、任意に設計することが可能である。
【００６８】
【発明の効果】
以上説明したように、本発明によれば、ストラップを鞄本体から取外すことができ、しかも、ストラップと鞄本体との間の結合力を増強させた鞄を提供することができる。
【００６９】
また、本発明によれば、鞄本体から取外したストラップの面状端部を裏向きに取付けることができ、しかも、ストラップと鞄本体との間の結合力を増強させた鞄を提供することができる。
【図面の簡単な説明】
【図１】本発明による第１の実施形態であるトートバッグの斜視図である。
【図２】本発明による第２の実施形態であるトートバッグの斜視図である。
【図３】本発明による第３の実施形態であるトートバッグの斜視図である。
【図４】従来技術の鞄の斜視図である。
【符号の説明】
１、５０、７０  トートバッグ
２    鞄本体
４    ストラップ
６ａ、６ｂ、５２ａ  第１のスライドファスナー組立体
６ｃ、６ｄ、５２ｂ  第２のスライドファスナー組立体
１２  第１の面状端部
１４  第２の面状端部
２０ａ、２０ｂ、５４ａ  第１の本体側ファスナー部材
２０ｃ、２０ｄ、５４ｂ  第２の本体側ファスナー部材
２２ａ、２２ｂ、５６ａ  第１のストラップ側ファスナー部材
２２ｃ、２２ｄ、５６ｂ  第２のストラップ側ファスナー部材
７２  スライドファスナー組立体
７４  本体側ファスナー部材
７６  ストラップ側ファスナー部材
【図１】
2004236774.tif 000003
【図２】
2004236774.tif 000004
【図３】
2004236774.tif 000005
【図４】
2004236774.tif 000006